(57)【要約】【課題】繰り返し送信される報知情報を適切に受信するための技術を提供することである。【解決手段】本発明の一態様は、ユーザ装置との無線通信を制御する通信制御部と、報知情報を送信する報知情報送信部とを有する基地局であって、前記報知情報送信部は、第１システム情報に第２システム情報のスケジューリング情報を含め、前記スケジューリング情報に従って前記第２システム情報を報知する基地局に関する。【選択図】図３
2016219927.tif 000002
【特許請求の範囲】
【請求項１】
ユーザ装置との無線通信を制御する通信制御部と、
報知情報を送信する報知情報送信部と、
を有する基地局であって、
前記報知情報送信部は、第１システム情報に第２システム情報のスケジューリング情報を含め、前記スケジューリング情報に従って前記第２システム情報を報知する基地局。
【請求項２】
前記スケジューリング情報は、前記第２システム情報が繰り返し送信されるサブフレームを特定する、請求項１記載の基地局。
【請求項３】
前記繰り返し送信されるサブフレームは、前記第２システム情報が送信されるウィンドウ幅、繰り返し周期及び送信開始タイミングにより特定される、請求項２記載の基地局。
【請求項４】
基地局と無線信号を送受信する送受信部と、
前記基地局から報知情報を受信する報知情報受信部と、
を有するユーザ装置であって、
前記報知情報受信部は、前記基地局から受信した第１システム情報に含まれる第２システム情報のスケジューリング情報に従って前記第２システム情報を受信するユーザ装置。
【請求項５】
前記スケジューリング情報は、前記第２システム情報が繰り返し送信されるサブフレームを特定する、請求項４記載のユーザ装置。
【請求項６】
前記繰り返し送信されるサブフレームは、前記第２システム情報が送信されるウィンドウ幅、繰り返し周期及び送信開始タイミングにより特定される、請求項５記載のユーザ装置。
【請求項７】
前記報知情報受信部は、前記第２システム情報を送信するウィンドウ内で繰り返し受信した前記第２システム情報をソフトコンバイニングする、請求項４乃至６何れか一項記載のユーザ装置。
【請求項８】
基地局が第１システム情報と第２システム情報とを報知するステップであって、前記第１システム情報は前記第２システム情報のスケジューリング情報を含む、報知するステップと、
ユーザ装置が前記第１システム情報と前記第２システム情報とを受信するステップであって、前記第２システム情報は前記第１システム情報に含まれるスケジューリング情報に従って受信される、受信するステップと、
を有する報知情報送受信方法。
【発明の詳細な説明】
【技術分野】
【０００１】
本発明は、無線通信システムに関する。
【背景技術】
【０００２】
現在策定中のＬＴＥ（Ｌｏｎｇ  Ｔｅｒｍ  Ｅｖｏｌｕｔｉｏｎ）のリリース１３（Ｒｅｌ−１３）において、ＭＴＣ（Ｍａｃｈｉｎｅ  Ｔｙｐｅ  Ｃｏｍｍｕｎｉｃａｔｉｏｎ）タイプのユーザ装置（Ｕｓｅｒ  Ｅｑｕｉｐｍｅｎｔ：ＵＥ）が備えるべき各種機能が検討されている。一例として、コスト削減を図るため送受信帯域幅を１．４ＭＨｚに限定したユーザ装置（ローコストユーザ装置：ＬＣ  ＵＥ）が検討されている。また、他の例として、ＭＴＣ端末は建物の奥深くの場所、地下などの建物侵入損が大きく、無線通信が困難な場所に配置される可能性があるため、カバレッジ拡大を図ったユーザ装置（エンハンストカバレッジユーザ装置：ＥＣ  ＵＥ）が検討されている。
【０００３】
ＬＴＥシステムでは、マスタ情報ブロック（ＭＩＢ）及びシステム情報ブロック（ＳＩＢ）などのセルに関する報知情報が定期的に送信されている。既存のＬＴＥシステムでは、ＭＩＢは４０ｍｓ周期で送信されることが規定され、ユーザ装置は、当該周期内において最大で４回繰り返し送信されるＭＩＢについてソフトコンバイニング可能である。また、ＳＩＢ１は８０ｍｓ周期で送信されることが規定され、ユーザ装置は、当該周期内において最大で４回繰り返し送信されるＳＩＢ１についてソフトコンバイニング可能である。さらに、ＳＩＢ１以外のＳＩＢｘ（ＳＩＢ２，ＳＩＢ３，...）は、ＳＩＢ１のｓｃｈｅｄｕｌｉｎｇＩｎｆｏに示されるマッピングに従ってシステム情報（ＳＩ  ｍｅｓｓａｇｅ）に格納されて送信される。例えば、図１に示されるように、ＳＩＢ２はＳＩ−１に格納され、１６０ｍｓ周期で送信され、ＳＩＢ３，６はＳＩ−２に格納され、３２０ｍｓ周期で送信され、ＳＩＢ５／１０はＳＩ−３に格納され、３２０ｍｓ周期で送信され、ＳＩＢ１０／１１はＳＩ−４に格納され、３２０ｍｓ周期で送信され、ＳＩＢ１１はＳＩ−５に格納され、３２０ｍｓ周期で送信されうる（ただし、ＳＩ−４にＳＩＢ１１が格納される場合、ＳＩ−５は設定されない）。すなわち、３２０ｍｓのＳＩ周期によりＳＩ−１〜５が送信される。
【０００４】
ここで、ＳＩウィンドウ内ではＳＩメッセージは任意の回数送信可能であり、ユーザ装置は、当該ＳＩウィンドウ内で受信したＳＩメッセージについてソフトコンバイニング可能である。図示された例では、ＳＩウィンドウの期間は２０ｍｓに設定され、当該ＳＩウィンドウの期間又はサイズは各ＳＩメッセージ間で共通すると共に、ＳＩウィンドウは互いにオーバラップしない。同一の周期を有するＳＩＢは同一のＳＩメッセージに多重可能である。
【先行技術文献】
【非特許文献】
【０００５】
【非特許文献１】3GPP TR 36.888, "Study on provision of low-cost Machine-Type Communications (MTC) User Equipments (UEs) based on LTE"
【非特許文献２】3GPP RP-150492, "Further LTE Physical Layer Enhancements for MTC," Rel-13 Work Item Description
【発明の概要】
【発明が解決しようとする課題】
【０００６】
既存のＬＴＥ端末は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を受信し、受信したＰＤＣＣＨに基づき報知情報が送信されているか判断することができる。このため、ＳＩウィンドウ内でＳＩメッセージが任意の回数送信されたとしても、当該ＬＴＥ端末は、ＳＩメッセージを受信することができる。
【０００７】
一方、ＬＣ  ＵＥは、ＰＤＣＣＨを受信することなくＳＩウィンドウ内でＳＩメッセージを受信するため、ＰＤＣＣＨの受信を前提とした既存の報知情報の受信方式によると、ＳＩウィンドウ内で繰り返し送信されるＳＩメッセージを特定することができない。
【０００８】
上述した問題点に鑑み、本発明の課題は、繰り返し送信される報知情報を適切に受信するための技術を提供することである。
【課題を解決するための手段】
【０００９】
上記課題を解決するため、本発明の一態様は、ユーザ装置との無線通信を制御する通信制御部と、報知情報を送信する報知情報送信部とを有する基地局であって、前記報知情報送信部は、第１システム情報に第２システム情報のスケジューリング情報を含め、前記スケジューリング情報に従って前記第２システム情報を報知する基地局に関する。
【００１０】
本発明の他の態様は、基地局と無線信号を送受信する送受信部と、前記基地局から報知情報を受信する報知情報受信部とを有するユーザ装置であって、前記報知情報受信部は、前記基地局から受信した第１システム情報に含まれる第２システム情報のスケジューリング情報に従って前記第２システム情報を受信するユーザ装置に関する。
【００１１】
本発明の更なる他の態様は、基地局が第１システム情報と第２システム情報とを報知するステップであって、前記第１システム情報は前記第２システム情報のスケジューリング情報を含む、報知するステップと、ユーザ装置が前記第１システム情報と前記第２システム情報とを受信するステップであって、前記第２システム情報は前記第１システム情報に含まれるスケジューリング情報に従って受信される、受信するステップとを有する報知情報送受信方法に関する。
【発明の効果】
【００１２】
本発明によると、繰り返し送信される報知情報を適切に受信するための技術を提供することができる。
【図面の簡単な説明】
【００１３】
【図１】図１は、従来のシステム情報の送信周期の一例を示す図である。
【図２】図２は、本発明の一実施例による無線通信システムを示す概略図である。
【図３】図３は、本発明の一実施例による基地局の構成を示すブロック図である。
【図４】図４は、本発明の一実施例によるシグナリング例を示す図である。
【図５】図５は、一例となるＳＩメッセージの送信パターンを示す概略図である。
【図６】図６は、一例となるＳＩメッセージの送信パターンを示す概略図である。
【図７】図７は、本発明の一実施例によるユーザ装置の構成を示すブロック図である。
【図８】図８は、本発明の一実施例による報知情報送受信処理を示すシーケンス図である。
【発明を実施するための形態】
【００１４】
以下、図面に基づいて本発明の実施の形態を説明する。
【００１５】
以下の実施例では、基地局から繰り返し送信される報知情報を合成受信するユーザ装置が開示される。後述する実施例を概略すると、報知情報を送信する際、基地局は、一部の報知情報に他の報知情報の送信機会に関するスケジューリング情報を含めることによって、各種報知情報を送信する。ユーザ装置は、当該スケジューリング情報に従って他の報知情報を受信する。例えば、ＬＴＥシステムでは、セルに関するシステム情報（ＳＩＢｘ）を報知する際、基地局は、以降のＳＩＢｘ（ＳＩＢ２，ＳＩＢ３，...）の送信機会に関するスケジューリング情報を含むＳＩＢ１を送信する。当該ＳＩＢ１を受信すると、ユーザ装置は、受信したＳＩＢ１に含まれるスケジューリング情報に従って以降のＳＩＢｘを合成受信することができる。これにより、ユーザ装置は、ＰＤＣＣＨを受信することなく報知情報を適切に受信することが可能になり、例えば、本実施例は、ＰＤＣＣＨの受信を前提としないローコストユーザ装置が報知情報を適切に受信することを可能にする。
【００１６】
図２を参照して、本発明の一実施例による無線通信システムを説明する。図２は、本発明の一実施例による無線通信システムを示す概略図である。
【００１７】
図２に示されるように、無線通信システム１０は、基地局１００及びユーザ装置２００を有する。無線通信システム１０は、例えば、ＬＴＥシステム又はＬＴＥ−Ａｄｖａｎｃｅｄシステムである。図示された実施例では、１つの基地局１００しか示されていないが、無線通信システム１０のサービスエリアをカバーするよう多数の基地局１００が配置される。
【００１８】
基地局１００は、ユーザ装置２００と無線接続することによって、コアネットワーク（図示せず）上に通信接続された上位局やサーバから受信したダウンリンク（ＤＬ）パケットをユーザ装置２００に送信すると共に、ユーザ装置２００から受信したアップリンク（ＵＬ）パケットをサーバに送信する。また、基地局１００は、以下で詳細に説明されるように、マスタ情報ブロック（ＭＩＢ）及びシステム情報ブロック（ＳＩＢｘ）などのセルに関する報知情報を周期的に送信する。
【００１９】
基地局１００は、典型的には、ユーザ装置２００との間で無線信号を送受信するためのアンテナ、隣接する基地局と通信するための通信インタフェース（Ｘ２インタフェースなど）、コアネットワークと通信するための通信インタフェース（Ｓ１インタフェースなど）、ユーザ装置２００との間でやりとりされる送受信信号を処理するためのプロセッサや回路などのハードウェアリソースにより構成される。後述される基地局１００の各機能及び処理は、メモリ装置に格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２０】
ユーザ装置２００は、基地局１００により提供されるセルを介し基地局１００と無線信号を送受信する。典型的には、ユーザ装置２００は、図示されるように、電力メータ、水道メータ、ガスメータなどに備えられたＭＴＣ端末として実現されるが、これに限定されるものでなく、スマートフォン、携帯電話、タブレット、モバイルルータ、ウェアラブル端末などの無線通信機能を備えた何れか適切な情報処理装置であってもよい。また、ユーザ装置２００は、システム帯域幅（ＬＴＥシステムでは、２０ＭＨｚなど）をサポートするノーマルタイプであってもよいし、あるいは、限定的な周波数帯域幅（例えば、１．４ＭＨｚなど）しかサポートしないローコスト（ＬＣ）タイプであってもよい。さらに、ユーザ装置２００は、カバレッジ拡張機能を備えたエンハンストカバレッジ（ＥＣ）タイプであってもよい。
【００２１】
ユーザ装置２００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００との間で無線信号を送受信するための無線通信装置などから構成される。例えば、後述されるユーザ装置２００の各機能及び処理は、メモリ装置に格納されているデータやプログラムをＣＰＵが処理又は実行することによって実現されてもよい。しかしながら、ユーザ装置２００は、上述したハードウェア構成に限定されず、後述する処理の１以上を実現する回路などにより構成されてもよい。
【００２２】
次に、図３〜６を参照して、本発明の一実施例による基地局を説明する。図３は、本発明の一実施例による基地局の構成を示すブロック図である。
【００２３】
図３に示されるように、基地局１００は、通信制御部１１０及び報知情報送信部１２０を有する。
【００２４】
通信制御部１１０は、ユーザ装置２００との無線通信を制御する。具体的には、通信制御部１１０は、１以上のセルに接続したユーザ装置２００との間で各種制御信号及びデータ信号を送受信する。
【００２５】
報知情報送信部１２０は、報知情報を送信すると共に、第１システム情報に第２システム情報のスケジューリング情報を含め、当該スケジューリング情報に従って第２システム情報を報知する。すなわち、報知情報送信部１２０は、基地局１００によって提供される各セルに関するセル情報をマスタ情報ブロック（ＭＩＢ）及びシステム情報ブロック（ＳＩＢ１，ＳＩＢ２，...）により定期的に報知する。具体的には、報知情報送信部１２０は、４０ｍｓなどの所定の周期によりＭＩＢを繰り返し送信すると共に、当該ＭＩＢにＳＩＢ１の送信機会を示すスケジューリング情報を含める。さらに、報知情報送信部１２０は、当該スケジューリング情報に従ってＳＩＢ１を繰り返し送信すると共に、当該ＳＩＢ１に以降のＳＩＢｘ（ＳＩＢ２，ＳＩＢ３，...）の送信機会を示すスケジューリング情報を含める。ここで、ＳＩＢ１以外のＳＩＢｘ（ＳＩＢ２，ＳＩＢ３，...）は、ＳＩＢ１のスケジューリング情報に示されるマッピングに従ってシステム情報（ＳＩ）メッセージ（ＳＩ  ｍｅｓｓａｇｅ）に格納されて送信される。
【００２６】
一実施例では、スケジューリング情報は、第２システム情報が繰り返し送信されるサブフレームを特定してもよい。例えば、報知情報送信部１２０は、以降のＳＩＢｘ（ＳＩＢ２，ＳＩＢ３，...）が繰り返し送信されるサブフレームを示すスケジューリング情報をＳＩＢ１に含めてもよい。当該スケジューリング情報に基づき、ユーザ装置２００は、以降のＳＩＢｘが送信されるサブフレームを特定することが可能になり、特定されたサブフレームにおいて以降のＳＩＢｘを受信することが可能になる。具体的には、ユーザ装置２００は、特定したサブフレームにおいて、スケジューリング情報に示されたマッピングに従って各ＳＩメッセージに格納されたＳＩＢｘを受信することができる。
【００２７】
ここで、当該繰り返し送信されるサブフレームは、第２システム情報が送信されるウィンドウ幅、繰り返し周期及び送信開始タイミングにより特定されてもよい。すなわち、スケジューリング情報は、第２システム情報が送信されるウィンドウ幅、繰り返し周期及び送信開始タイミングを有してもよい。上述したように、ＳＩＢｘ（ＳＩＢ２，ＳＩＢ３，...）はＳＩメッセージに格納されて送信され、各ＳＩメッセージはシステム情報（ＳＩ）ウィンドウ内で繰り返し送信される。例えば、報知情報送信部１２０は、図４に示されるようなシグナリングデータ構造を有するスケジューリング情報（ＳｃｈｅｄｕｌｉｎｇＩｎｆｏ）を含むＳＩＢ１を報知してもよい。図示されるように、スケジューリング情報（ＳｃｈｅｄｕｌｉｎｇＩｎｆｏ）は、当該ＳＩウィンドウのウィンドウ幅（ｓｉ−ＷｉｎｄｏｗＬｅｎｇｔｈ）、当該ＳＩウィンドウ内においてＳＩメッセージが繰り返し送信される周期（ｓｉ−ＲｅｐｅｔｉｔｉｏｎＩｎｔｅｒｖａｌ）、及びＳＩメッセージの送信を開始するサブフレーム（ｓｉ−ＲｅｐｅｔｉｔｉｏｎＯｆｆｓｅｔ）を有してもよい。従来、ＳＩウィンドウは全てのＳＩメッセージについて共通に設定されていたが、本実施例によると、ＳＩメッセージ毎に異なるウィンドウ幅を設定することが可能になると共に、ユーザ装置２００は、当該スケジューリング情報に基づき、ＳＩウィンドウ内で繰り返し送信されるＳＩメッセージの送信タイミングを特定することが可能になる。
【００２８】
具体的には、ＳＩメッセージは、
ｓｉ−ＲｅｐｅｔｉｔｉｏｎＯｆｆｓｅｔ＝Ｘ  ｍｏｄ（ｓｉ−ＲｅｐｅｔｉｔｉｏｎＩｎｔｅｒｖａｌ）
を充足するサブフレームＸ（ただし、０≦Ｘ≦ｓｉ−ＷｉｎｄｏｗＬｅｎｇｔｈ−１）において送信される。
【００２９】
例えば、スケジューリング情報において、ｓｉ−ＷｉｎｄｏｗＬｅｎｇｔｈ＝１０ｍｓ、ｓｉ−ＲｅｐｅｔｉｔｉｏｎＩｎｔｅｒｖａｌ＝１、及びｓｉ−ＲｅｐｅｔｉｔｉｏｎＯｆｆｓｅｔ＝０が設定されている場合、ＳＩメッセージは、図５に示されるように、ＳＩウィンドウ内の全てのサブフレームにおいて送信される。基地局１００がシステム帯域幅（２０ＭＨｚなど）をサポートするノーマルタイプのユーザ装置２００のための報知情報と、限定的な周波数帯域幅（１．４ＭＨｚなど）しかサポートしないＬＣタイプのユーザ装置２００のための限定帯域幅用の報知情報とを送信可能である場合、例えば、報知情報送信部１２０は、図示されるように、限定帯域幅用の報知情報として、１．４ＭＨｚの送受信帯域幅用に検討されている６リソースブロック（ＲＢ）のサイズのＳＩメッセージを送信してもよい。
【００３０】
また、スケジューリング情報において、ｓｉ−ＷｉｎｄｏｗＬｅｎｇｔｈ＝１０ｍｓ、ｓｉ−ＲｅｐｅｔｉｔｉｏｎＩｎｔｅｒｖａｌ＝２、及びｓｉ−ＲｅｐｅｔｉｔｉｏｎＯｆｆｓｅｔ＝０が設定されている場合、ＳＩメッセージは、図６に示されるように、ＳＩウィンドウ内の先頭のサブフレームから１つおきに５回送信される。
【００３１】
次に、図７を参照して、本発明の一実施例によるユーザ装置を説明する。図７は、本発明の一実施例によるユーザ装置の構成を示すブロック図である。
【００３２】
図７に示されるように、ユーザ装置２００は、送受信部２１０及び報知情報受信部２２０を有する。
【００３３】
送受信部２１０は、基地局１００と無線信号を送受信する。具体的には、ダウンリンク通信では、送受信部２１０は、基地局１００からＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）などの各種ダウンリンクチャネルを受信する。一方、アップリンク通信では、送受信部２１０は、基地局１００にＰＵＣＣＨ（Ｐｈｙｓｉｃａｌ  Ｕｐｌｉｎｋ  Ｃｏｎｔｒｏｌ  Ｃｈａｎｎｅｌ）やＰＵＳＣＨ（Ｐｈｙｓｉｃａｌ  Ｕｐｌｉｎｋ  Ｓｈａｒｅｄ  Ｃｈａｎｎｅｌ）などの各種アップリンクチャネルを送信する。
【００３４】
報知情報受信部２２０は、基地局１００から報知情報を受信すると共に、基地局１００から受信した第１システム情報に含まれる第２システム情報のスケジューリング情報に従って第２システム情報を受信する。具体的には、報知情報受信部２２０は、在圏するセルに関するセル情報をＭＩＢ及びＳＩＢｘ（ＳＩＢ１，ＳＩＢ２，...）により受信する。ＬＴＥ規格では、報知情報受信部２２０は、４０ｍｓなどの所定の周期により繰り返し送信されるＭＩＢを受信すると共に、当該ＭＩＢに含まれるＳＩＢ１の送信機会を示すスケジューリング情報に従ってＳＩＢ１を受信する。さらに、報知情報受信部２２０は、当該スケジューリング情報に従って繰り返し送信されるＳＩＢ１を受信すると共に、当該ＳＩＢ１に含まれる以降のＳＩＢｘ（ＳＩＢ２，ＳＩＢ３，...）の送信機会を示すスケジューリング情報に従って繰り返し送信されるＳＩＢｘを受信する。このとき、ＳＩＢ１以外のＳＩＢｘ（ＳＩＢ２，ＳＩＢ３，...）は、ＳＩＢ１のスケジューリング情報に示されるマッピングに従ってシステム情報（ＳＩ）メッセージ（ＳＩ  ｍｅｓｓａｇｅ）に格納されて送信され、報知情報受信部２２０は、マッピングされたＳＩＢｘを格納した各ＳＩメッセージを受信する。
【００３５】
一実施例では、スケジューリング情報は、第２システム情報が繰り返し送信されるサブフレームを特定してもよい。例えば、ＳＩＢ１を受信すると、報知情報受信部２２０は、以降のＳＩＢｘ（ＳＩＢ２，ＳＩＢ３，...）が繰り返し送信されるサブフレームを示すスケジューリング情報を抽出し、抽出したスケジューリング情報に基づき以降のＳＩＢｘが送信されるサブフレームにおいてＳＩＢｘを受信することができる。
【００３６】
ここで、当該繰り返し送信されるサブフレームは、第２システム情報が送信されるウィンドウ幅、繰り返し周期及び送信開始タイミングにより特定されてもよい。すなわち、スケジューリング情報は、第２システム情報が送信されるウィンドウ幅、繰り返し周期及び送信開始タイミングを有してもよい。上述したように、ＳＩＢｘ（ＳＩＢ２，ＳＩＢ３，...）はＳＩメッセージに格納されて送信され、各ＳＩメッセージはシステム情報（ＳＩ）ウィンドウ内で繰り返し送信される。例えば、報知情報受信部２２０は、図４に示されるようなシグナリングデータ構造を有するＳＩＢ１を受信すると、受信したＳＩＢ１からスケジューリング情報（ＳｃｈｅｄｕｌｉｎｇＩｎｆｏ）を抽出し、抽出したスケジューリング情報から、ＳＩウィンドウのウィンドウ幅（ｓｉ−ＷｉｎｄｏｗＬｅｎｇｔｈ）、当該ＳＩウィンドウ内においてＳＩメッセージが繰り返し送信される周期（ｓｉ−ＲｅｐｅｔｉｔｉｏｎＩｎｔｅｒｖａｌ）、及びＳＩメッセージの送信を開始するサブフレーム（ｓｉ−ＲｅｐｅｔｉｔｉｏｎＯｆｆｓｅｔ）を特定してもよい。従来、ＳＩウィンドウは全てのＳＩメッセージについて共通に設定されていたが、本実施例では、ＳＩメッセージ毎に異なるウィンドウ幅が設定されてもよい。報知情報受信部２２０は、当該スケジューリング情報に基づき、ＳＩウィンドウ内で繰り返し送信されるＳＩメッセージの送信タイミングを特定することが可能になる。
【００３７】
具体的には、ＳＩメッセージは、
ｓｉ−ＲｅｐｅｔｉｔｉｏｎＯｆｆｓｅｔ＝Ｘ  ｍｏｄ（ｓｉ−ＲｅｐｅｔｉｔｉｏｎＩｎｔｅｒｖａｌ）
を充足するサブフレームＸ（ただし、０≦Ｘ≦ｓｉ−ＷｉｎｄｏｗＬｅｎｇｔｈ−１）において受信される。
【００３８】
一実施例では、報知情報受信部２２０は、第２システム情報を送信するウィンドウ内で繰り返し受信した第２システム情報をソフトコンバイニングしてもよい。すなわち、報知情報受信部２２０は、スケジューリング情報に従って繰り返し送信されたＳＩＢｘを各ＳＩウィンドウ内において合成受信してもよい。例えば、図５に示される具体例では、報知情報受信部２２０は、１０ｍｓのウィンドウ幅のＳＩウィンドウ内で１０個のＳＩメッセージを受信するため、受信した１０個のＳＩメッセージをソフトコンバイニングすることによって、当該ＳＩメッセージにマッピングされたＳＩＢｘを構成してもよい。また、図６に示される具体例では、報知情報受信部２２０は、１０ｍｓのウィンドウ幅のＳＩウィンドウ内で５個のＳＩメッセージを受信するため、受信した５個のＳＩメッセージをソフトコンバイニングすることによって、当該ＳＩメッセージにマッピングされたＳＩＢｘを構成してもよい。
【００３９】
他の実施例では、報知情報受信部２２０は、第２システム情報を送信する複数のウィンドウ間で繰り返し受信した第２システム情報をソフトコンバイニングしてもよい。すなわち、報知情報受信部２２０は、スケジューリング情報に従って繰り返し送信されたＳＩＢｘを複数のＳＩウィンドウにわたって合成受信してもよい。例えば、通信状態が不良である場合、ユーザ装置２００が限定帯域幅用の報知情報を受信する場合など、上述したウィンドウ内のソフトコンバイニングによるとＳＩメッセージを良好に構成することができないケースなどにおいて、本実施例は好適であると考えられる。すなわち、繰り返し受信したＳＩメッセージを複数のウィンドウにわたってソフトコンバイニングすることによって、より多くのＳＩメッセージからＳＩメッセージを構成することが可能になる。
【００４０】
次に、図８を参照して、本発明の一実施例による報知情報送受信処理を説明する。図８は、本発明の一実施例による報知情報送受信処理を示すシーケンス図である。
【００４１】
図８に示されるように、ステップＳ１０１において、基地局１００は、第１システム情報と第２システム情報とを報知する。ここで、第１システム情報は第２システム情報のスケジューリング情報を含む。すなわち、基地局１００は、ＳＩＢｘがマッピングされた各ＳＩメッセージをＳＩウィンドウ内で繰り返し送信する。例えば、基地局１００は、４０ｍｓなどの所定の周期によって、ＳＩＢ１の送信機会を示すスケジューリング情報を含むＭＩＢを繰り返し送信すると共に、以降のＳＩＢｘ（ＳＩＢ２，ＳＩＢ３，...）の送信機会を示すスケジューリング情報を含むＳＩＢ１を繰り返し送信する。ここで、ＳＩＢ１以外のＳＩＢｘ（ＳＩＢ２，ＳＩＢ３，...）は、ＳＩＢ１のスケジューリング情報に示されるマッピングに従ってＳＩメッセージに格納されて送信される。
【００４２】
また、ＳＩＢ１のスケジューリング情報は、以降のＳＩＢｘが繰り返し送信されるサブフレームを特定してもよい。例えば、スケジューリング情報は、各ＳＩメッセージが送信されるＳＩウィンドウのウィンドウ幅、当該ＳＩウィンドウ内で繰り返し送信されるＳＩメッセージの繰り返し周期、及び当該ＳＩウィンドウ内におけるＳＩメッセージの送信開始タイミング（サブフレーム）を含むものであってもよい。ＬＴＥ規格によると、当該スケジューリング情報は、図４に示されるようなシグナリングデータ構造によってユーザ装置２００に通知され、基地局１００は、通知したスケジューリング情報に従ってＳＩＢｘがマッピングされた各ＳＩメッセージを報知する。
【００４３】
ステップＳ１０２において、ユーザ装置２００は、第１システム情報と第２システム情報とを受信し、第２システム情報は第１システム情報に含まれるスケジューリング情報に従って受信される。すなわち、ユーザ装置２００は、ＳＩＢ１のスケジューリング情報に従って以降のＳＩＢｘ（ＳＩＢ２，ＳＩＢ３，...）を受信し、繰り返し受信したＳＩメッセージを当該ＳＩウィンドウ内でソフトコンバイニングすることによって、ＳＩメッセージを構成する。例えば、ＳＩＢ１のスケジューリング情報（ＳｃｈｅｄｕｌｉｎｇＩｎｆｏ）が各ＳＩメッセージのＳＩウィンドウのウィンドウ幅（ｓｉ−ＷｉｎｄｏｗＬｅｎｇｔｈ）、ＳＩメッセージの繰り返し周期（ｓｉ−ＲｅｐｅｔｉｔｉｏｎＩｎｔｅｒｖａｌ）、及びＳＩメッセージの送信開始タイミング（ｓｉ−ＲｅｐｅｔｉｔｉｏｎＯｆｆｓｅｔ）を含むとする。このとき、ユーザ装置２００は、各ＳＩウィンドウにおいて、
ｓｉ−ＲｅｐｅｔｉｔｉｏｎＯｆｆｓｅｔ＝Ｘ  ｍｏｄ（ｓｉ−ＲｅｐｅｔｉｔｉｏｎＩｎｔｅｒｖａｌ）
を充足するサブフレームＸ（ただし、０≦Ｘ≦ｓｉ−ＷｉｎｄｏｗＬｅｎｇｔｈ−１）でＳＩメッセージを受信し、当該ＳＩウィンドウ内で受信したＳＩメッセージをソフトコンバイニングすることによって、ＳＩメッセージを構成してもよい。なお、本発明はこれに限定されず、例えば、ユーザ装置２００は、複数のＳＩウィンドウにわたって繰り返し受信したＳＩメッセージをソフトコンバイニングしてもよい。
【００４４】
図示されるように、上述したステップＳ１０１，Ｓ１０２は、ＳＩメッセージの各送信周期について繰り返されてもよい。
【００４５】
上述した実施例は、ＬＴＥシステム及びＬＴＥ−Ａｄｖａｎｃｅｄシステムに着目したが、本発明は、これに限定されるものでなく、例えば、ＣＤＭＡ（Ｃｏｄｅ  Ｄｉｖｉｓｉｏｎ  Ｍｕｌｔｉｐｌｅ  Ａｃｃｅｓｓ）２０００、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｕｌｔｒａ−Ｗｉｄｅｂａｎｄ（ＵＷＢ）、Ｂｌｕｅｔｏｏｔｈ（登録商標）及び／又は他の何れか適切なシステムを利用する無線通信システムに適用されてもよい。また、上述した情報及び信号は、様々な異なる技術及び技術の何れかを使用して表されてもよい。例えば、上述した説明全体にわたって言及されたデータ、命令、コマンド、情報、信号、ビット、シンボル及びチップは、電圧、電流、電磁波、磁界若しくは磁性粒子、光場若しくは光子、又はこれらの何れかの組み合わせにより表されてもよい。また、ソフトウェア又は命令はまた、伝送媒体を介し送信可能である。例えば、ソフトウェアが同軸ケーブル、光ファイバケーブル、ツイストペア、デジタル加入者回線（ＤＳＬ）、又は赤外線、無線及びマイクロ波などのワイヤレス技術を使用してウェブサイト、サーバ又は他のリモートソースから送信される場合、同軸ケーブル、光ファイバケーブル、ツイストペア、デジタル加入者回線（ＤＳＬ）、又は赤外線、無線及びマイクロ波などのワイヤレス技術は伝送媒体の定義内に含まれる。
【００４６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４７】
１０  無線通信システム
１００  基地局
１１０  通信制御部
１２０  報知情報送信部
２００  ユーザ装置
２１０  送受信部
２２０  報知情報受信部
【図１】
2016219927.tif 000003
【図２】
2016219927.tif 000004
【図３】
2016219927.tif 000005
【図４】
2016219927.tif 000006
【図５】
2016219927.tif 000007
【図６】
2016219927.tif 000008
【図７】
2016219927.tif 000009
【図８】
2016219927.tif 000010
【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ユーザ装置との無線通信を制御する通信制御部と、
報知情報を送信する報知情報送信部と、
を有する基地局であって、
前記報知情報送信部は、第１システム情報の第１スケジューリング情報を含むマスタ情報を報知し、前記第１スケジューリング情報に従って第２システム情報の第２スケジューリング情報を含む前記第１システム情報を報知し、前記第２スケジューリング情報に従って前記第２システム情報を報知する基地局。
【請求項２】
前記第２スケジューリング情報は、前記第２システム情報が繰り返し送信されるサブフレームを特定する、請求項１記載の基地局。
【請求項３】
前記繰り返し送信されるサブフレームは、前記第２システム情報が送信されるウィンドウ幅、繰り返し周期及び送信開始タイミングにより特定される、請求項２記載の基地局。
【請求項４】
基地局と無線信号を送受信する送受信部と、
前記基地局から報知情報を受信する報知情報受信部と、
を有するユーザ装置であって、
前記報知情報受信部は、第１システム情報の第１スケジューリング情報を含むマスタ情報を受信し、前記第１スケジューリング情報に従って第２システム情報の第２スケジューリング情報を含む前記第１システム情報を受信し、前記第２スケジューリング情報に従って前記第２システム情報を受信するユーザ装置。
【請求項５】
前記第２スケジューリング情報は、前記第２システム情報が繰り返し送信されるサブフレームを特定する、請求項４記載のユーザ装置。
【請求項６】
前記繰り返し送信されるサブフレームは、前記第２システム情報が送信されるウィンドウ幅、繰り返し周期及び送信開始タイミングにより特定される、請求項５記載のユーザ装置。
【請求項７】
前記報知情報受信部は、前記第２システム情報を送信するウィンドウ内で繰り返し受信した前記第２システム情報をソフトコンバイニングする、請求項４乃至６何れか一項記載のユーザ装置。
【請求項８】
基地局がマスタ情報、第１システム情報及び第２システム情報を報知するステップであって、前記マスタ情報は前記第１システム情報の第１スケジューリング情報を含み、前記第１システム情報は前記第２システム情報の第２スケジューリング情報を含む、報知するステップと、
ユーザ装置が前記マスタ情報、前記第１システム情報及び前記第２システム情報を受信するステップであって、前記第１システム情報は前記第１スケジューリング情報に従って受信され、前記第２システム情報は前記第２スケジューリング情報に従って受信される、受信するステップと、
を有する報知情報送受信方法。